(57)【要約】【課題】簡単な装置で場所をとらず、はたおり機の構造および作用等を正確に理解できるとともに、織成の準備も簡単に行なえ、教材用としては勿論のこと、パッチワーク等にも使用することができるはたおり機を提供する。【解決手段】枠体の一対の対辺に平行に張設された経糸の中寄り部に開口部を形成する開口具を、経糸を個別に収納する経糸収納部と、開口具を回転操作する操作部とを設け、経糸収納部には経糸受け部を形成し、隣り合う経糸収納部の経糸受け部は経糸の開口部を形成する様に高さを変えて設け、当該開口具を回転させ、若しくは、開口具を一旦持ち上げてから回転させ、その開口具を下降させることにより、隣り合う経糸が上下して開口部が交互に切り替わるように構成した。【選択図】図１
2008111209.tif 000002
【特許請求の範囲】
【請求項１】
少なくとも一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸を個別に収納する経糸収納部と、開口具を回転操作する操作部とを設けてなり、経糸収納部には経糸受け部が形成されるとともに、隣り合う経糸収納部の経糸受け部は経糸の開口部を形成する様に高さを変えて設けてあり、当該開口具を回転させ、若しくは、開口具を一旦持ち上げてから回転させ、その開口具を下降させることにより、隣り合う経糸が上下して開口部が交互に切り替わるように構成したことを特徴とするはたおり機。
【請求項２】
開口具が、両端部に手動で回転操作する操作部と、当該操作部間に配置した複数の板材を経糸受け部で連結し、経糸受け部の上下に経糸収納部を形成したことも特徴とする請求
【発明の詳細な説明】
【技術分野】
【０００１】
本発明は主として教材用やホビー用として使用されるはたおり機に関するものである。
【背景技術】
【０００２】
一般に織機といわれるものは経糸と緯糸を交差させて織布を形成するもので、１本の糸をリンクさせる編み物とは区別される。
ところで、織機は昔より日本の基幹産業を支えてきたものであり、その機構を理解するのは有意義なものである。ところが、今日の織機ではその生産性を向上させるために高速化されており、実際に稼働中の織機を見るだけでは十分に理解するのが難しいと言う問題があった。
【０００３】
一方、小さなハギレ布をつないで小物を作ったりする趣味のパッチワークでは、好みに合った多品種で少量の布切れを探して集めなくてはならず、その蒐集に多大の手間を要するとともに、過不足が生じ不経済になってしまうと言う問題もあった。
【０００４】
そこで、こうした問題に対して、昔の織機を略そのままスケールダウンさせたような模型が提案されている。
この模型は交互に上下動する綜絖（ワイヤーヘルド）を備えた織機模型の上手側に整経台（クリール）を配設し、この整経台から供給される経糸を綜絖で交互に開口させ、この開口ごとに緯糸を打ち込むことにより布を織成するようにしたものである。
【０００５】
ところがこうしたものでは、整経台を備えていることから、連続するテープ状の長い布を織成する分には有効ではあるが、整経台を備えている分、大型のものとなり、はたおり機の機構を理解するための教材としては無駄が多く不向きなものとなってしまうと言う問題があった。
【０００６】
更に、経糸を開口させるために最小限二枚の綜絖を必要とし高価になるうえ、綜絖を上下動する連動機構のために構造も複雑になると言う問題もある。
加えて、経糸を綜絖に通す経通しに手間を要し、織成までの前段階に多大の時間を要してしまうと言う問題もある。
【特許文献１】特開２００４−２６３３２９号公報
【発明の開示】
【発明が解決しようとする課題】
【０００７】
本発明は上記問題点に鑑み提案されたもので、簡単な装置で場所をとらず、はたおり機の構造および作用等を正確に理解できるとともに、織成の準備も簡単に行なえ、教材用としては勿論のこと、パッチワーク等のホビー用にも使用することができるはたおり機を提供できるようにすることを目的とするものである。
【課題を解決するための手段】
【０００８】
上記目的を達成するために本発明にかかるはたおり機は、少なくとも一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口部に挿入された緯糸を織前側に梳いて目を詰める筬打ち具とを備え、開口具は、経糸を個別に収納する経糸収納部と、開口具を回転操作する操作部とを設けてなり、経糸収納部には経糸受け部が形成されるとともに、0隣り合う経糸収納部の経糸受け部は経糸の開口部を形成する様に高さを変えて設けてあり、当該開口具を回転させ、若しくは、開口具を一旦持ち上げてから回転させ、その開口具を下降させることにより、隣り合う経糸が上下して開口部が交互に切り替わるように構成したことを最も主要な特徴とするものである。
【０００９】
また、本発明にかかるはたおり機は、開口具が、両端部に手動で回転操作する操作部と、当該操作部間に配置した複数の板材を経糸受け部で連結し、経糸受け部の上下に経糸収納部を形成したことも特徴とするものである。
【発明の効果】
【００１０】
本発明にかかるはたおり機は上述のように、一対の対辺に糸を掛止する掛止部を設けた平面視矩形の枠体と、当該枠体の掛止部間にわたって略平行に張設された経糸の中寄り部に開口部を形成する開口具と、開口部で開口された経糸に緯糸を挿入する緯糸挿入具と、開口に挿入された緯糸を織前側に梳いて目を詰める筬打ち具とを備え、開口具を、経糸を個別に収納する経糸収納部と、開口具を回転操作する操作部とを設け手構成し、経糸収納部には経糸受け部を形成するとともに、隣り合う経糸収納部の経糸受け部は経糸の開口部を形成する様に高さを変えて形成し、当該開口具を回転させることにより、隣り合う経糸が上下して開口部が交互に切り替わるように構成してあるので、枠体の掛止部に形成された経糸分を織成するだけで、はたおり機の構造や作用を正確に理解することができる。
【００１１】
これにより、先の提案のもののように、整経台を備えなくてもよく、装置をコンパクトなものにすることができる。
また、開口具を回転させることにより、隣り合う経糸が上下して開口が交互に切り替わるように構成してあるので、先の提案のもののように綜絖への経通しなどの煩雑な手間も省け、織成の準備も簡単に行なえる利点もある。
加えて、本発明のはたおり機は、教材用としては勿論のこと、多品種少量のハギレ布を作るのにも適しており、パッチワーク等のホビー用にも幅広く使用するものにすることができる。
【発明を実施するための最良の形態】
【００１２】
本発明にかかるはたおり機の最も好ましい実施の形態を図面に基づいて説明する。
図１は本発明にかかるはたおり機の構成を示す斜視図であって、図中符号１は、はたおり機を全体的に示す。
このはたおり機１は、平面視において矩形に形成された枠体２と、枠体２の前後一対の対辺（図上、上下の辺）３・３に渡って張設された経糸４・４・４・・・（図２参照）を上下に割って開口部５（図３参照）を形成する開口具６と、開口具６で開口された開口部５に緯糸７（図６参照）を挿入する緯糸挿入具８と、開口部に挿入された緯糸を織前側に梳いて目を詰める筬打ち具９（図１参照）とを備えてなる。
【００１３】
上記経糸４を張設する部分は、左右の一対の各辺３・３の上端部を前後の各辺１０・１０より１段高く形成し、この高く形成された部分の上下にスリット（掛止部）１１・１１・１１・・・を等間隔に形成してなる。
また、枠体２の前後の辺１０・１０は摺動可能な内外二重筒１０ａ・１０ｂで形成され、固定手段１２により内外二重筒１０ａ・１０ｂ前後の摺動が固定されるようになっている。
この固定手段１２は内方の筒１０ａに所定間隔置きに穿設した固定具嵌合孔１３と、外方の筒１０ｂに穿設した固定具挿入孔１４と、この固定具挿入孔１４から固定具嵌合孔１３に嵌合させる固定具１５とからなる。
【００１４】
緯糸挿入具８は両端部分が先細りのＣ形に形成された平板状の部材で形成され、図示は省略したがこの平板状の部分に緯糸７がまきつけられている。
上記筬打ち具９は、上半部分に形成された板状操作部１６と、下半部に経糸４の略全幅に渡って等間隔に垂下した櫛状の梳き部１７とからなる。
【００１５】
一方、枠体２の一対の対辺３・３に渡って張設された経糸４・４・４・・・を上下に割って開口部５を形成する開口具６は、図１乃至図３に示すように、両端部に手動で回転操作する板状の操作部１８・１８と、この操作部１８・１８の間に矩形の板材１９・１９・１９・・・を複数等間隔に配置し、この複数の板材１９・１９・１９・・・の隣り合う板材１９・１９間を１つの経糸受け部２０で連結して一体化した状態に合成樹脂で成型し、矩形の各板材１９・１９の間には経糸受け部２０で上下に仕切られた経糸収納部２１が形成されている。
ここで、経糸収納部２１の間隔は、上記左右の一対の各辺３・３に形成されたスリット１１・１１・１１・・・の間隔と等しい間隔にするとともに、隣り合う経糸受け部２０・２０は高さを異ならせてあり、この異なる高さの分が経糸４の開口部５の大きさになる。
【００１６】
上記のように構成されたはたおり機１を使用する二つの手順を次に説明する。
１つの手順としては、先ず、枠体２の左右の長さを所望の長さにし、外方の筒１０ｂに穿設した固定具挿入孔１４から挿入した固定具１５を内筒１０ａの固定具嵌合孔１３に嵌合させ、枠体２の左右の長さを所望の長さに固定する。
次に、図２に示すように枠体２の外筒２ｂ部分の上部に開口具を立てた状態で左右の各辺３・３に形成されたスリット１１・１１・１１・・・間に糸を巻きつけて経糸４を形成して行く。
【００１７】
すると、経糸４は、図４に示すように、開口具６の下方の経糸受け部２０に上方の経糸受け部２０とに受け止められることにより、複数本で形成された経糸４が上下に割られた状態になり、ここに開口部５が形成される。
斯くして形成された開口部５に緯糸７を巻きつけた緯糸挿入具８を、その経糸を所定の長さ（経糸の幅＝織幅分の長さ）引き出し、端部を経糸４外に残した状態で挿入し、開口部５を通過させる。
【００１８】
そして、図４の状態から開口具６を１８０度回転させると、図４で下方の経糸受け部２０が上方に、上方の経糸受け部２０が下方になるので、此処に図５に示す新たな開口部５が形成される。
こうして形成された新たな開口部５に緯糸を打ち込む前に、筬打ち具９の櫛状の梳き部１７で図４で打ち込まれた緯糸７を織り前につめ、その後、新たな開口部５に緯糸７を打ち込む。
上記のような動作を繰り返すことにより、生地２２が織り上げられてゆく（図６参照）。
【００１９】
はたおり機１を使用する別の手順としては、上記の例と同様に、枠体２の左右の長さを所望の長さにし、外方の筒１０ｂに穿設した固定具挿入孔１４から挿入した固定具１５を内筒１０ａの固定具嵌合孔１３に嵌合させ、枠体２の左右の長さを所望の長さに固定する。
次に、図７に示すように枠体２の左右の各辺３・３の上下に形成されたスリット１１・１１・１１・・・に１本の糸を巻きつけて行くと枠体２の上面に複数本で形成される経糸４が形成される。
【００２０】
然る後、図８に示すように、開口具６の各経糸収納部２１にそれぞれ一本の経糸４が収納されるように、開口具６を経糸４の上方から押し込む。
すると、開口具６の下方の経糸受け部２０に対面する経糸４が下方に押し下げられて経糸４が上下に割られるので、ここに開口部５が形成される。
斯くして形成された開口部５に緯糸７を巻きつけた緯糸挿入具８を、その経糸を所定の長さ（経糸の幅＝織幅分の長さ）引き出し、端部を経糸４外に残した状態で挿入し、開口部５を通過させる。
【００２１】
そして、図８の状態から開口具６を１８０度回転させるか、開口具６を一旦持ち上げてから回転させ、その開口具６を下降させて経糸４を上下に割ると図８で下方に押し込まれていた実線で示す経糸４が上方に、図８で上方に位置していた二点鎖線で示す経糸４が下方に押し込まれて図９に示す新たな開口部５が形成される。
こうして形成された新たな開口部５に緯糸を打ち込む前に、筬打ち具９の櫛状の梳き部１７で図４で打ち込まれた緯糸７を織り前につめ、その後、新たな開口部５に緯糸７を打ち込む。
上記のような動作を繰り返すことにより、生地２２が織り上げられてゆく（図１０参照）のである。
【００２２】
このように、本発明のはたおり機１は、手動でゆっくりと生地２２を織り上げて行くので、織物の組織構造は勿論のこと、はたおり機１の基本的な動作並びに作用が簡単な操作で手にとるように解り、教材としても最適なものとなる。
また、経糸４や緯糸７を任意に変更できるので、好みに合わせた布切れ（生地２２）を簡単に形成することができるので、パッチワークの素材形成等、ホビー用にも至便なものとなる。
なお、上記実施の形態では、枠体２の左右の一対の辺３・３を前後の各辺１０・１０より一段高く形成し、この高く形成された部分の上下にスリット１１・１１・１１・・・を等間隔に設けて経糸４を張設する部分を形成するようにしてあるが、これに加えて、前後の各辺１０・１０にスリット１１・１１・１１・・・を等間隔に形成するようにしてもよい。この場合、前後の辺１０・１０を形成する摺動可能な内外の各筒１０ａ・１０ｂにスリット１１・１１・１１・・・を等間隔に形成しておくと織り幅を任意な幅に設定することができる。
【図面の簡単な説明】
【００２３】
【図１】は本発明にかかるはたおり機の構成を示す斜視図である。
【図２】は本発明にかかるはたおり機の枠体に経糸を張った状態の斜視図である。
【図３】は本発明にかかるはたおり機の開口具の斜視図である。
【図４】は本発明にかかるはたおり機の開口部を形成する工程を示す概略側面図である。
【図５】は本発明にかかるはたおり機の新たな開口部を形成する工程を示す概略側面図で        ある。
【図６】は本発明にかかるはたおり機で織成される生地の概略側面図である。
【図７】は本発明のはたおり機の別の織成手順にかかる枠体に経糸を張った状態の斜視図        である。
【図８】は本発明のはたおり機の別の織成手順にかかる開口部を形成する工程を示す概略        側面図である。
【図９】は本発明のはたおり機の別の織成手順にかかる新たな開口部を形成する工程を示        す概略側面図である。
【図１０】は本発明のはたおり機の別の織成手順で織成される生地の概略側面図である。
【符号の説明】
【００２４】
１・・・はたおり機
２・・・枠体
３・・・対辺
４・・・経糸
５・・・開口部
６・・・開口具
７・・・緯糸
８・・・緯糸挿入具
９・・・筬打ち具
１１・・・スリット（掛止部）
１９・・・板材
２０・・・経糸受け部
２１・・・経糸収納部
【図１】
2008111209.tif 000003
【図２】
2008111209.tif 000004
【図３】
2008111209.tif 000005
【図４】
2008111209.tif 000006
【図５】
2008111209.tif 000007
【図６】
2008111209.tif 000008
【図７】
2008111209.tif 000009
【図８】
2008111209.tif 000010
【図９】
2008111209.tif 000011
【図１０】
2008111209.tif 000012